(57)【要約】【課題】  コピー前後やプリント前後に定型用紙サイズや写真サイズやハガキサイズや名刺サイズやカードサイズやこれら以外の決められた各サイズやユーザーが設定した独自の各サイズ等に切断する紙の切断装置の従来技術は、供給紙の一方の方向を切断後に他方の方向を切断する技術で示されている為、切断時間が長い。【解決手段】  情報の収納具から縦方向に切断する為の切断情報と、横方向に切断する為の切断情報を、同時に取り出す事が出来る事務用家庭用紙の切断装置の提供により各種サイズの切断時間を短縮する。【選択図】  図４
2012183622.tif 000002
【特許請求の範囲】
【請求項１】
情報の収納具から縦方向に切断する為の切断情報と横方向に切断する為の切断情報を同時に取り出す事が出来る事務用家庭用紙の切断装置。
【請求項２】
縦横方向の一方の切断最中に縦横方向の他方の切断を可能にする請求項１の事務用家庭用紙の切断装置。
【請求項３】
定型用紙サイズの各サイズを各等分に切断して出来る定型用紙サイズの各サイズや定型用紙サイズの各サイズの各等分サイズや定型用紙サイズの各サイズや写真サイズの決められた各サイズやハガキサイズの決められた各サイズや名刺サイズの決められた各サイズやカードサイズの決められた各サイズやこれら以外の決められた各サイズや決められた各サイズや切断情報の長さの情報や切断具等の区分の情報や一方の同時加工の情報や双方の同時加工の情報や情報の選択の情報等の情報の一部又は全てを組み合わせた各サイズやユーザーが設定した独自の各サイズを選択し取り出しができる様に、これらに関する情報を切断情報として予め格納し保持する事ができる情報の収納具と、情報の収納具からユーザーが選択した切断サイズに関する切断情報を取り出す事が出来る情報の選択具と、情報の選択具により情報の収納具から取り出した切断情報により切断具等を切断位置に自動でセットする機能を備えた切断位置の制御装置を設け、更に切断位置の制御装置を備え紙の切断を自動で行う為の自動切断の制御装置を設け、予め設置した切断具等を紙の供給サイズや紙の切断サイズに合わせて取り替える必要がなく、ユーザーが選択した定型用紙サイズの各サイズを各等分に切断して出来る定型用紙サイズの各サイズや定型用紙サイズの各サイズの各等分サイズや定型用紙サイズの各サイズや写真サイズの決められた各サイズやハガキサイズの決められた各サイズや名刺サイズの決められた各サイズやカードサイズの決められた各サイズやこれら以外の決められた各サイズや決められた各サイズや切断情報の長さの情報や切断具等の区分の情報や一方の同時加工の情報や双方の同時加工の情報や情報の選択の情報等の情報の一部又は全てを組み合わせた各サイズやユーザーが設定した独自の各サイズに自動で切断する事が出来、更に一枚から大量の紙を切断できる請求項１、２の紙の切断装置。
【請求項４】
定型用紙サイズの各サイズを各等分に切断して出来る定型用紙サイズの各サイズや定型用紙サイズの各サイズの各等分サイズや定型用紙サイズの各サイズや写真サイズの決められた各サイズやハガキサイズの決められた各サイズや名刺サイズの決められた各サイズやカードサイズの決められた各サイズやこれら以外の決められた各サイズや決められた各サイズや切断情報の長さの情報や切断具等の区分の情報や一方の同時加工の情報や双方の同時加工の情報や情報の選択の情報等の情報の一部又は全てを組み合わせた各サイズやユーザーが設定した独自の各サイズに係わる情報を予め設ける事が出来、この情報の中よりユーザーが希望する切断の情報を選択する事により予め設置した切断具等を紙の供給サイズや紙の切断サイズに合わせて取り替える必要がなく、ユーザーが選択した定型用紙サイズの各サイズを各等分に切断して出来る定型用紙サイズの各サイズや定型用紙サイズの各サイズの各等分サイズや定型用紙サイズの各サイズや写真サイズの決められた各サイズやハガキサイズの決められた各サイズや名刺サイズの決められた各サイズやカードサイズの決められた各サイズやこれら以外の決められた各サイズや決められた各サイズや切断情報の長さの情報や切断具等の区分の情報や一方の同時加工の情報や双方の同時加工の情報や情報の選択の情報等の情報の一部又は全てを組み合わせた各サイズやユーザーが設定した独自の各サイズに自動で切断する事が出来、更に一枚から大量の紙を切断できる請求項１、２紙の切断装置。
【請求項５】
多種な切断サイズを選択し取り出しができる様に、これに関する情報を切断情報として予め格納し保持する事ができる情報の収納具と、情報の収納具からユーザーが選択した切断サイズに関する切断情報を取り出す事が出来る情報の選択具と、情報の選択具により情報の収納具から取り出した切断情報により切断具等を切断位置に自動でセットする機能を備えた切断位置の制御装置を設け、更に切断位置の制御装置を備え紙の切断を自動で行う為の紙の自動切断の制御装置を設け、予め設置した切断具等を紙の供給サイズや紙の切断サイズに合わせて取り替える必要がなく、ユーザーが選択した紙のサイズに自動で切断する事ができ、更に一枚から大量の紙を切断できる請求項１、２紙の切断装置。
【請求項６】
多種な切断サイズを選択し取り出しができる様に、これに関する情報を切断情報として予め格納し保持する事ができる情報の収納具と、情報の収納具からユーザーが選択した切断サイズに関する切断情報を取り出す事が出来る情報の選択具と、情報の選択具により情報の収納具から取り出した切断情報により切断具等を切断位置に自動でセットする機能を備えた切断位置の制御装置を設けた請求項１、２の紙の切断装置。
【請求項７】
予め設置した切断具等を紙の供給サイズや紙の切断サイズに合わせて取り替える必要がなく、ユーザーが選択した定型用紙サイズの各サイズを各等分に切断して出来る定型用紙サイズの各サイズに自動で切断する事ができる請求項１、２、３、４、５、６の紙の切断装置。
【請求項８】
予め設置した切断具等を紙の供給サイズや紙の切断サイズに合わせて取り替える必要がなく、ユーザーが選択した定型用紙サイズの各サイズの各等分サイズに自動で切断する事ができる請求項１、２、３、４、５、６の紙の切断装置。
【請求項９】
予め設置した切断具等を紙の供給サイズや紙の切断サイズに合わせて取り替える必要がなく、ユーザーが選択した定型用紙サイズの各サイズに自動で切断する事ができる請求項１、２、３、４、５、６の紙の切断装置。
【請求項１０】
予め設置した切断具等を紙の供給サイズや紙の切断サイズに合わせて取り替える必要がなく、ユーザーが選択した写真サイズの決められた各サイズに自動で切断する事ができる請求項１、２、３、４、５、６の紙の切断装置。
【請求項１１】
予め設置した切断具等を紙の供給サイズや紙の切断サイズに合わせて取り替える必要がなく、ユーザーが選択したハガキサイズの決められた各サイズに自動で切断する事ができる請求項１、２、３、４、５、６の紙の切断装置。
【請求項１２】
予め設置した切断具等を紙の供給サイズや紙の切断サイズに合わせて取り替える必要がなく、ユーザーが選択した名刺サイズの決められた各サイズに自動で切断する事ができる請求項１、２、３、４、５、６の紙の切断装置。
【請求項１３】
予め設置した切断具等を紙の供給サイズや紙の切断サイズに合わせて取り替える必要がなく、ユーザーが選択したカードサイズの決められた各サイズに自動で切断する事ができる請求項１、２、３、４、５、６の紙の切断装置。
【請求項１４】
予め設置した切断具等を紙の供給サイズや紙の切断サイズに合わせて取り替える必要がなく、ユーザーが選択した請求項７、８、９、１１、１２、１３以外の決められた各サイズに自動で切断する事ができる請求項１、２、３、４、５、６の紙の切断装置。
【請求項１５】
予め設置した切断具等を紙の供給サイズや紙の切断サイズに合わせて取り替える必要がなく、ユーザーが選択した決められた各サイズに自動で切断する事ができる請求項１、２、３、４、５、６の紙の切断装置。
【請求項１６】
予め設置した切断具等を紙の供給サイズや紙の切断サイズに合わせて取り替える必要がなく、ユーザーが選択した切断情報の長さの情報や切断具等の区分の情報や一方の同時加工の情報や双方の同時加工の情報や情報の選択の情報等の情報の一部又は全てを組み合わせた各サイズに自動で切断する事ができる請求項１、２、３、４、５、６の紙の切断装置。
【請求項１７】
予め設置した切断具等を紙の供給サイズや紙の切断サイズに合わせて取り替える必要がなく、ユーザーが設定した独自の各サイズに自動で切断する事ができる請求項１、２、３、４、５、６の紙の切断装置。
【請求項１８】
事務用家庭用コピー機に備える事が出来る請求項１、２、３、４、５、６、７、８、９、１０、１１、１２、１３、１４、１５、１６、１７の紙の切断装置。
【請求項１９】
事務用製版印刷機に備える事が出来る請求項１、２、３、４、５、６、７、８、９、１０、１１、１２、１３、１４、１５、１６、１７の紙の切断装置。
【請求項２０】
事務用家庭用プリンタに備える事が出来る請求項１、２、３、４、５、６、７、８、９、１０、１１、１２、１３、１４、１５、１６、１７紙の切断装置。
【請求項２１】
コピー機能を装備した事務用家庭用複合機に備える事が出来る請求項１、２、３、４、５、６、７、８、９、１０、１１、１２、１３、１４、１５、１６、１７の紙の切断装置。
【請求項２２】
プリント機能を装備した事務用家庭用複合機に備える事が出来る請求項１、２、３、４、５、６、７、８、９、１０、１１、１２、１３、１４、１５、１６、１７の紙の切断装置。
【請求項２３】
事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器に備える事が出来る請求項１、２、３、４、５、６、７、８、９、１０、１１、１２、１３、１４、１５、１６、１７の紙の切断装置。
【請求項２４】
ユニットシステムにして事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器に備える事が出来る請求項１、２、３、４、５、６、７、８、９、１０、１１、１２、１３、１４、１５、１６、１７の紙の切断装置。
【請求項２５】
事務用家庭用シュレッダーに備える事が出来る請求項１、２、３、４、５、６、７、８、９、１０、１１、１２、１３、１４、１５、１６、１７の紙の切断装置。
【発明の詳細な説明】
【技術分野】
【０００１】
本発明は、事務用家庭用紙の切断装置に関する。
【０００２】
更に、前記段落の事務用家庭用紙の切断装置を備えた、事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器、及び事務用家庭用シュレッダー等に関する。
【背景技術】
【０００３】
特許文献１の技術は、各種サイズに切断可能な事務用家庭用紙の切断装置である。
特に、この特許文献１の中で示されている本発明に関する技術は、多種な切断サイズを選択し取り出しができる様に、予め、情報の収納具に格納し保持した切断情報がある。
【０００４】
具体的には、この特許文献１の発明を実施するための形態の項目で示されている供給紙の縦横の双方の方向を切断し各種切断サイズを作る為の切断情報の代表例は、供給紙の一方の方向を切断後に他方の方向を切断する技術で示されている。
【０００５】
更に、この技術を明確にする為に、この発明を実施するための形態の項目で示されているこの切断情報に関する代表例の切断手順の概要を、図１を用いて示す。
図１（１‐１）は、供給紙を横方向に切断する為の切断具１１ｔ等と供給紙を縦方向に切断する為の切断具１１ｓ等が起点Ｐ１１、Ｐ２１に駐具している事を示す。
図１（１‐２）は、供給紙４１が供給され、多種な切断サイズを選択し取り出しができる様に、これに関する情報を切断情報として予め格納し保持する事ができる情報の収納具から、ユーザーが選択した切断サイズに関する切断情報を取り出す事が出来る情報の選択具により、ユーザーが選択した切断サイズを伝達する事により、先ず、供給紙の横方向の切断位置の制御が稼働して、供給紙の横方向に切断する為の切断情報が取り出され、供給紙の横方向に切断する為の切断具１１ｔ等が起点Ｐ１１より切断位置Ｔ１１に移動した事を示す。
図１（１‐３）は、供給紙４１が切断具１１ｔ等を通過し、供給紙４１の横方向の切断が行なわれ、終了した事を示す。
図１（１‐４）は、切断位置の制御装置の横方向の切断の終了の情報の伝達により、供給紙４１の縦方向の切断位置の制御が開始され、供給紙の縦方向に切断する為の切断情報が取り出され、供給紙の縦方向に切断する為の切断具１１ｓ等が起点Ｐ２１より切断位置Ｓ１１に移動し、この後、縦方向の切断が行われる事を示す。
【先行技術文献】
【特許文献】
【０００６】
【特許文献１】特願２０１１−００２７６４号公報
【発明の概要】
【発明が解決しようとする課題】
【０００７】
図１示す様に、特許文献１の発明を実施するための形態の項目で示されている切断情報に関する代表例は、供給紙の一方の方向を切断後に他方の方向を切断する技術であり、この切断時間は、長い稼働時間を要する欠陥を保有する。
本発明の課題は、事務用家庭用紙の切断装置の供給紙の縦横の双方の方向を切断する為の切断時間を短縮する事にある。
【課題を解決するための手段】
【０００８】
請求項１の発明は、情報の収納具から縦方向に切断する為の切断情報と横方向に切断する為の切断情報を同時に取り出す事が出来る事務用家庭用紙の切断装置である。
【０００９】
請求項２の発明は、縦横方向の一方の切断最中に縦横方向の他方の切断を可能にする請求項１の事務用家庭用紙の切断装置である。
【００１０】
請求項３の発明は、定型用紙サイズの各サイズを各等分に切断して出来る定型用紙サイズの各サイズや定型用紙サイズの各サイズの各等分サイズや定型用紙サイズの各サイズや写真サイズの決められた各サイズやハガキサイズの決められた各サイズや名刺サイズの決められた各サイズやカードサイズの決められた各サイズやこれら以外の決められた各サイズや決められた各サイズや切断情報の長さの情報や切断具等の区分の情報や一方の同時加工の情報や双方の同時加工の情報や情報の選択の情報等の情報の一部又は全てを組み合わせた各サイズやユーザーが設定した独自の各サイズを選択し取り出しができる様に、これらに関する情報を切断情報として予め格納し保持する事ができる情報の収納具と、情報の収納具からユーザーが選択した切断サイズに関する切断情報を取り出す事が出来る情報の選択具と、情報の選択具により情報の収納具から取り出した切断情報により切断具等を切断位置に自動でセットする機能を備えた切断位置の制御装置を設け、更に切断位置の制御装置を備え紙の切断を自動で行う為の自動切断の制御装置を設け、予め設置した切断具等を紙の供給サイズや紙の切断サイズに合わせて取り替える必要がなく、ユーザーが選択した定型用紙サイズの各サイズを各等分に切断して出来る定型用紙サイズの各サイズや定型用紙サイズの各サイズの各等分サイズや定型用紙サイズの各サイズや写真サイズの決められた各サイズやハガキサイズの決められた各サイズや名刺サイズの決められた各サイズやカードサイズの決められた各サイズやこれら以外の決められた各サイズや決められた各サイズや切断情報の長さの情報や切断具等の区分の情報や一方の同時加工の情報や双方の同時加工の情報や情報の選択の情報等の情報の一部又は全てを組み合わせた各サイズやユーザーが設定した独自の各サイズに自動で切断する事が出来、更に一枚から大量の紙を切断できる請求項１、２の紙の切断装置である。
【００１１】
請求項４の発明は、定型用紙サイズの各サイズを各等分に切断して出来る定型用紙サイズの各サイズや定型用紙サイズの各サイズの各等分サイズや定型用紙サイズの各サイズや写真サイズの決められた各サイズやハガキサイズの決められた各サイズや名刺サイズの決められた各サイズやカードサイズの決められた各サイズやこれら以外の決められた各サイズや決められた各サイズや切断情報の長さの情報や切断具等の区分の情報や一方の同時加工の情報や双方の同時加工の情報や情報の選択の情報等の情報の一部又は全てを組み合わせた各サイズやユーザーが設定した独自の各サイズに係わる情報を予め設ける事が出来、この情報の中よりユーザーが希望する切断の情報を選択する事により予め設置した切断具等を紙の供給サイズや紙の切断サイズに合わせて取り替える必要がなく、ユーザーが選択した定型用紙サイズの各サイズを各等分に切断して出来る定型用紙サイズの各サイズや定型用紙サイズの各サイズの各等分サイズや定型用紙サイズの各サイズや写真サイズの決められた各サイズやハガキサイズの決められた各サイズや名刺サイズの決められた各サイズやカードサイズの決められた各サイズやこれら以外の決められた各サイズや決められた各サイズや切断情報の長さの情報や切断具等の区分の情報や一方の同時加工の情報や双方の同時加工の情報や情報の選択の情報等の情報の一部又は全てを組み合わせた各サイズやユーザーが設定した独自の各サイズに自動で切断する事が出来、更に一枚から大量の紙を切断できる請求項１、２紙の切断装置である。
【００１２】
請求項５の発明は、多種な切断サイズを選択し取り出しができる様に、これに関する情報を切断情報として予め格納し保持する事ができる情報の収納具と、情報の収納具からユーザーが選択した切断サイズに関する切断情報を取り出す事が出来る情報の選択具と、情報の選択具により情報の収納具から取り出した切断情報により切断具等を切断位置に自動でセットする機能を備えた切断位置の制御装置を設け、更に切断位置の制御装置を備え紙の切断を自動で行う為の紙の自動切断の制御装置を設け、予め設置した切断具等を紙の供給サイズや紙の切断サイズに合わせて取り替える必要がなく、ユーザーが選択した紙のサイズに自動で切断する事ができ、更に一枚から大量の紙を切断できる請求項１、２紙の切断装置である。
【００１３】
請求項６の発明は、多種な切断サイズを選択し取り出しができる様に、これに関する情報を切断情報として予め格納し保持する事ができる情報の収納具と、情報の収納具からユーザーが選択した切断サイズに関する切断情報を取り出す事が出来る情報の選択具と、情報の選択具により情報の収納具から取り出した切断情報により切断具等を切断位置に自動でセットする機能を備えた切断位置の制御装置を設けた請求項１、２の紙の切断装置である。
【００１４】
請求項７の発明は、予め設置した切断具等を紙の供給サイズや紙の切断サイズに合わせて取り替える必要がなく、ユーザーが選択した定型用紙サイズの各サイズを各等分に切断して出来る定型用紙サイズの各サイズに自動で切断する事ができる請求項１、２、３、４、５、６の紙の切断装置である。
【００１５】
請求項８の発明は、予め設置した切断具等を紙の供給サイズや紙の切断サイズに合わせて取り替える必要がなく、ユーザーが選択した定型用紙サイズの各サイズの各等分サイズに自動で切断する事ができる請求項１、２、３、４、５、６の紙の切断装置である。
【００１６】
請求項９の発明は、予め設置した切断具等を紙の供給サイズや紙の切断サイズに合わせて取り替える必要がなく、ユーザーが選択した定型用紙サイズの各サイズに自動で切断する事ができる請求項１、２、３、４、５、６の紙の切断装置である。
【００１７】
請求項１０の発明は、予め設置した切断具等を紙の供給サイズや紙の切断サイズに合わせて取り替える必要がなく、ユーザーが選択した写真サイズの決められた各サイズに自動で切断する事ができる請求項１、２、３、４、５、６の紙の切断装置である。
【００１８】
請求項１１の発明は、予め設置した切断具等を紙の供給サイズや紙の切断サイズに合わせて取り替える必要がなく、ユーザーが選択したハガキサイズの決められた各サイズに自動で切断する事ができる請求項１、２、３、４、５、６の紙の切断装置である。
【００１９】
請求項１２の発明は、予め設置した切断具等を紙の供給サイズや紙の切断サイズに合わせて取り替える必要がなく、ユーザーが選択した名刺サイズの決められた各サイズに自動で切断する事ができる請求項１、２、３、４、５、６の紙の切断装置である。
【００２０】
請求項１３の発明は、予め設置した切断具等を紙の供給サイズや紙の切断サイズに合わせて取り替える必要がなく、ユーザーが選択したカードサイズの決められた各サイズに自動で切断する事ができる請求項１、２、３、４、５、６の紙の切断装置である。
【００２１】
請求項１４の発明は、予め設置した切断具等を紙の供給サイズや紙の切断サイズに合わせて取り替える必要がなく、ユーザーが選択した請求項７、８、９、１１、１２、１３以外の決められた各サイズに自動で切断する事ができる請求項１、２、３、４、５、６の紙の切断装置である。
【００２２】
請求項１５の発明は、予め設置した切断具等を紙の供給サイズや紙の切断サイズに合わせて取り替える必要がなく、ユーザーが選択した決められた各サイズに自動で切断する事ができる請求項１、２、３、４、５、６の紙の切断装置である。
【００２３】
請求項１６の発明は、予め設置した切断具等を紙の供給サイズや紙の切断サイズに合わせて取り替える必要がなく、ユーザーが選択した切断情報の長さの情報や切断具等の区分の情報や一方の同時加工の情報や双方の同時加工の情報や情報の選択の情報等の情報の一部又は全てを組み合わせた各サイズに自動で切断する事ができる請求項１、２、３、４、５、６の紙の切断装置である。
【００２４】
請求項１７の発明は、予め設置した切断具等を紙の供給サイズや紙の切断サイズに合わせて取り替える必要がなく、ユーザーが設定した独自の各サイズに自動で切断する事ができる請求項１、２、３、４、５、６の紙の切断装置である。
【００２５】
請求項１８の発明は、事務用家庭用コピー機に備える事が出来る請求項１、２、３、４、５、６、７、８、９、１０、１１、１２、１３、１４、１５、１６、１７の紙の切断装置である。
【００２６】
請求項１９の発明は、事務用製版印刷機に備える事が出来る請求項１、２、３、４、５、６、７、８、９、１０、１１、１２、１３、１４、１５、１６、１７の紙の切断装置である。
【００２７】
請求項２０の発明は、事務用家庭用プリンタに備える事が出来る請求項１、２、３、４、５、６、７、８、９、１０、１１、１２、１３、１４、１５、１６、１７紙の切断装置である。
【００２８】
請求項２１の発明は、コピー機能を装備した事務用家庭用複合機に備える事が出来る請求項１、２、３、４、５、６、７、８、９、１０、１１、１２、１３、１４、１５、１６、１７の紙の切断装置である。
【００２９】
請求項２２の発明は、プリント機能を装備した事務用家庭用複合機に備える事が出来る請求項１、２、３、４、５、６、７、８、９、１０、１１、１２、１３、１４、１５、１６、１７の紙の切断装置である。
【００３０】
請求項２３の発明は、事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器に備える事が出来る請求項１、２、３、４、５、６、７、８、９、１０、１１、１２、１３、１４、１５、１６、１７の紙の切断装置である。
【００３１】
請求項２４の発明は、ユニットシステムにして事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器に備える事が出来る請求項１、２、３、４、５、６、７、８、９、１０、１１、１２、１３、１４、１５、１６、１７の紙の切断装置である。
【００３２】
請求項２５の発明は、事務用家庭用シュレッダーに備える事が出来る請求項１、２、３、４、５、６、７、８、９、１０、１１、１２、１３、１４、１５、１６、１７の紙の切断装置である。
【発明の効果】
【００３３】
事務用家庭用紙の切断装置の供給紙の縦横の双方の方向を切断する為の切断時間を短縮する事が可能である。
更に、切断具等の設置方法の選択により、本発明装置の小型化を可能にする。
【図面の簡単な説明】
【００３４】
【図１】従来技術の切断手順を示す概略図
【図２】切断手順を示す概略図
【図３】切断手順を示す概略図
【図４】切断手順を示す概略図
【図５】切断方法を示す概略図
【図６】情報の収納具に収めた切断情報に関する図（表）
【図７】供給紙と切断位置（切断番号）を示す概略図
【図８】切断手順を示す概略図
【発明を実施するための形態】
【００３５】
図２、３、４は請求項１に関する切断手順を示す概略図であり、図３、４は請求項２に関する切断手順を示す概略図である。図５は本発明の切断方法等を示す概略図である。
図２の代表例は、縦横双方の方向に設けた各一組の切断具等で、供給紙の縦横双方の方向を切断して、四等分（縦方向に二等分、横方向に二等分）にする為の切断の代表例である。
図２（２‐１）は、供給紙を横方向に切断する為の切断具１２ｔ等と供給紙を縦方向に切断する為の切断具１２ｓ等が起点Ｐ１２、Ｐ２２に駐具している事を示す。
尚、切断具１２ｔ等、切断具１２ｓ等とは、紙を切断する為の切断具１２ｔ、切断具１２ｓに加えて、切断時の紙ずれを防止する為に紙面を押さえる為の紙面押さえや、切断時に切断具が入る為の切断具が入る為の溝或いは隙間や、紙を供給する為の給紙ローラーや、紙を排出する為の排紙ローラーや、その他の内、必要に応じて切断具と一体となり切断具の移動に合わせて切断個所や切断個所付近に配置する必要がある具である。
【００３６】
図２（２‐２）は、供給紙４２が供給され、多種な切断サイズを選択し取り出しができる様に、これに関する情報を切断情報として予め格納し保持する事ができる情報の収納具から、ユーザーが選択した切断サイズに関する切断情報を取り出す事が出来る情報の選択具により、ユーザーが選択した切断サイズを伝達する事により、切断具等の切断位置の制御装置が稼働して、供給紙の縦横の双方の方向に切断する為の切断情報が同時に取り出され、供給紙の横方向に切断する為の切断具１２ｔ等が起点Ｐ１２より切断位置Ｔ１２に、供給紙の縦方向に切断する為の切断具１２ｓ等が起点Ｐ２２より切断位置Ｓ１２に一度に配置した事を示す。
【００３７】
図２（２‐３）は、供給紙４２の横方向の切断個所（供給紙４２の長辺の１／２の位置）が切断具１２ｔ等を通過し、供給紙４２の横方向の切断が行なわれた事を示す。
【００３８】
図２（２‐４）は、供給紙４２の紙端が起点Ｐ２２に到着し、即ち、供給紙４２の縦方向の切断個所（供給紙４２の短辺の１／２の位置）が切断位置Ｓ１２に到着し、この後、切断具１２ｓ等により切断位置Ｓ１２の切断が開始される事を示す。
尚、縦横方向の一方又は双方に複数の切断具等を設ける場合は、図２の要領に準じて、縦横の一方又は双方の方向に設けた複数の切断具等を縦横の一方又は双方の方向の切断位置に一度に配置する事により切断を可能にする。
【００３９】
図３の代表例は、縦横双方の方向に設けた各一組の切断具等で、供給紙の縦横双方の方向を切断して、八等分（縦方向に二等分、横方向に四等分）にする為の切断の代表例である。
図３（３‐１）は、供給紙を縦方向に切断する為の切断具１３ｔ等と供給紙を横方向に切断する為の切断具１３ｓ等が起点Ｐ１３、Ｐ２３に駐具している事を示す。
尚、切断具１３ｔ等、切断具１３ｓ等とは、紙を切断する為の切断具１３ｔ、切断具１３ｓに加えて、切断時の紙ずれを防止する為に紙面を押さえる為の紙面押さえや、切断時に切断具が入る為の切断具が入る為の溝或いは隙間や、紙を供給する為の給紙ローラーや、紙を排出する為の排紙ローラーや、その他の内、必要に応じて切断具と一体となり切断具の移動に合わせて切断個所や切断個所付近に配置する必要がある具である。
【００４０】
図３（３‐２）は、供給紙４３が供給され、多種な切断サイズを選択し取り出しができる様に、これに関する情報を切断情報として予め格納し保持する事ができる情報の収納具から、ユーザーが選択した切断サイズに関する切断情報を取り出す事が出来る情報の選択具により、ユーザーが選択した切断サイズを伝達する事により、切断具等の切断位置の制御装置が稼働して、供給紙の縦横の双方の方向に切断する為の切断情報が同時に取り出され、供給紙の縦方向に切断する為の切断具１３ｔ等が起点Ｐ１３より切断位置Ｔ１３に、供給紙の横方向に切断する為の切断具１３ｓ等が起点Ｐ２３より切断位置Ｓ１３に一度に配置した事を示す。
【００４１】
図３（３‐３）は、供給紙４３の縦方向の切断個所（供給紙４３の短辺の１／２の位置）の一部が切断具１３ｔ等を通過し、供給紙４３の縦方向の一部の切断が行なわれている事を示す。
【００４２】
図３（３‐４）は、供給紙４３の縦方向の切断個所の切断の最中に、供給紙４３の紙端が起点Ｐ２３に到着し、即ち、供給紙４３の横方向の切断個所（供給紙４３の長辺の１／４の位置）が切断位置Ｓ１３に到着し切断具１３ｓ等により切断が行われる事を示す。
尚、図例の供給紙４３の横方向の最初の切断個所の切断を終え、次の切断個所（供給紙４３の長辺の２／４の位置、供給紙４３の長辺の３／４の位置）の切断も、供給紙４３の長辺の１／４の位置、供給紙４３の長辺の２／４の位置が起点Ｐ２３で停止し、最初の切断個所（供給紙４３の長辺の１／４の位置）の切断の要領に準じて行われる。
尚、供給紙４３の横方向の切断が行われている最中は、縦方向の切断は停止している。
【００４３】
図２、３の代表例は、ユーザーが選択した切断サイズの切断情報により、切断具等を切断サイズ毎に合わせた各切断位置に移動し、供給紙を一定長（全ての供給紙を供給場所から起点までの同じ長さ）で移動する技術で示しているが、図４の代表例の供給紙の縦方向の切断は、ユーザーが選択した切断サイズの切断情報により、供給紙を切断サイズ毎に合わせた各切断位置に移動し、切断具１４ｓ等を切断位置Ｓ１４に移動する必要が無い切断の代表例である。
即ち、図４の代表例は、供給紙の切断個所（供給紙４４の短辺の１／２の位置）を一定位置にある切断位置Ｓ１４に合わせる技術であり、ユーザーが選択し取り出した各切断サイズに応じて供給紙を制御する為の切断情報を設けた切断の代表例である。
尚、供給紙と一緒に側面紙押さえ等を移動させる場合は、供給紙と側面紙押さえ等を制御する為の切断情報を設ける。
尚、図４の代表例は、縦横双方の方向に設けた各一組の切断具等で、供給紙の縦横双方の方向を切断して、四等分（縦方向に二等分、横方向に二等分）にする為の切断の代表例である。
【００４４】
図４（４‐１）は、供給紙を横方向に切断する為の切断具１４ｔ等と供給紙を縦方向に切断する為の切断具１４ｓ等が起点Ｐ１４、Ｐ２４に駐具している事を示す。
尚、切断具１４ｔ等、切断具１４ｓ等とは、紙を切断する為の切断具１４ｔ、切断具１４ｓに加えて、切断時の紙ずれを防止する為に紙面を押さえる為の紙面押さえや、切断時に切断具が入る為の切断具が入る為の溝或いは隙間や、紙を供給する為の給紙ローラーや、紙を排出する為の排紙ローラーや、その他の内、必要に応じて切断具と一体となり切断具に合わせて切断個所や切断個所付近に配置する必要がある具である。
【００４５】
図４（４‐２）は、供給紙４４が供給され、多種な切断サイズを選択し取り出しができる様に、これに関する情報を切断情報として予め格納し保持する事ができる情報の収納具から、ユーザーが選択した切断サイズに関する切断情報を取り出す事が出来る情報の選択具により、ユーザーが選択した切断サイズを伝達する事により、供給紙の横方向を切断する為の切断具１４ｔ等の切断位置の制御装置が稼働して、供給紙の横方向に切断する為の切断情報が取り出され、供給紙の横方向に切断する為の切断具１４ｔ等が起点Ｐ１４より切断位置Ｔ１４に移動した事を示す。
同時に、供給紙の縦方向を切断する為に、供給紙（又は供給紙等）を制御する為の切断情報が取り出される。
尚、代表例は、切断具１４ｓ等を切断位置に移動する必要のない技術であり、起点Ｐ２４＝切断位置Ｓ１４である。
【００４６】
図４（４‐３）は、供給紙４４の横方向の切断個所（供給紙４４の長辺の１／２の位置）の一部が切断具１４ｔ等を通過し、供給紙４４の横方向の一部の切断が行なわれている事を示す。
【００４７】
図４（４‐４）は、供給紙４４の横方向の切断の最中に、供給紙４４の縦方向の切断個所（供給紙４４の短辺の１／２の位置）が切断位置Ｓ１４に到達し、供給紙の縦方向を切断する為の切断情報の作用により、切断具１４ｓ等により切断が行われる事を示す。
尚、供給紙４４の縦方向の切断が行われている最中は、横方向の切断は停止している。
尚、縦横方向の一方又は双方に複数の切断具等を設ける場合は、図４の要領に準じて、縦横の一方又は双方の方向に設けた複数の切断具等を縦横の一方又は双方の方向の切断位置に一度に配置する事により切断を可能にする。
尚、本発明装置の小型化を図る場合は、切断具１４ｔと切断具１４ｓの設置位置を近づける事により可能にする。
【００４８】
図５の代表例は、給紙方向に、例えば、回転する丸刃等の用紙が切断具を通過或いは切断具が用紙を通過する事により切断を行なう事が可能な切断具１５ｔを設け、供紙方向と直角に交差する方向に、例えば、上刃と下刃が交差して切断を行なうギロチン式切断具等の一気に切断を行なう事が可能な切断具１５ｓを設けた切断装置の代表例である。
図５（５‐１）は、給紙方向に供給紙４５の横方向（短い方向）をセットしている。
図５（５‐２）は、給紙方向に供給紙４５の縦方向（長い方向）をセットしている。
即ち、図５（５‐１）は、図５（５‐２）より切断時間が短い事を示している。
即ち、切断に時間を多く要する切断具側に供給紙の短辺側を設ける事により、切断時間の短縮を可能にする。
即ち、切断に時間を多く要する切断具側に供給紙の短辺側を設ける機械構造により、切断時間の短縮を可能にする。
【００４９】
図６、７、８は、更に具体的な発明の形態を示す代表例の概略図であり、図６は、切断位置の制御装置に設けた情報の収納具の切断情報に関して示している。
図６には、この切断情報と、この切断内容と、この切断番号が示されている。
図６のこの切断内容は、Ａ３、Ｂ４、Ａ４、Ｂ５、Ａ５、Ｂ６の定型用紙サイズの各サイズの紙を、縦方向と横方向のそれぞれを片側端寄せで給紙し、横方向に向けて３枚（複数）の切断具の刃を設け、縦方向に向けて一枚の切断具の刃を設け、八等分にして、Ａ６、Ｂ７、Ａ７、Ｂ８、Ａ８、Ｂ９の定型用紙サイズの紙を作る切断について示している。
この切断情報は、この切断内容を実施する為の情報であり、多種な切断後のサイズを選択し取り出しができる様に、これに関する情報を予め記憶装置等である情報の収納具に収納したものであり、縦横のいずれか一方又は双方に複数の切断具等を設け、縦横のそれぞれの方向の切断具等を各サイズに応じた縦横のそれぞれの方向の各切断位置にセットする為の制御情報の代表例である。
この切断番号は、各切断情報に番号を付したものであり、各切断情報の切断位置を称する為や他に用いる。
【００５０】
この切断情報の中には、長さの情報（数字ｍｍ）、切断具等の区分の情報（英字）、一方の同時加工の情報（星印）、双方の同時加工の情報（斜線）が保管されている。
長さの情報は、図例では、縦横のそれぞれの方向の切断具等を駐具する位置を縦横のそれぞれの方向の起点として、縦横のそれぞれの方向の各起点から縦横のそれぞれの方向の各切断位置までの切断具等が移動する長さを管理する為の情報で示している。
具体的には、図７、８で壁際等にある紙端を切断の起点Ｐ１、Ｐ２として設け、四等分の切断の為の長さの情報＝起点Ｐ１より各切断番号の切断位置までの長さ＝各用紙サイズの長辺の長さ（ｍｍ）×１／４の概数を規格に合わせた数、及び各用紙サイズの長辺の長さ（ｍｍ）×２／４の概数を規格に合わせた数、及び各用紙サイズの長辺の長さ（ｍｍ）×３／４の概数を規格に合わせた数で設け、更に二等分の切断をして八等分にする為の長さの情報＝起点Ｐ２より各切断番号の切断位置までの長さ＝四等分の切断前の各用紙サイズの短辺の長さ（ｍｍ）×１／２の概数を規格に合わせた数で設けている。
【００５１】
切断具等の区分の情報は、切断位置を切断する為の切断具等の種類の情報である。
具体的には、図６、７、８の切断情報や切断番号の英字Ｗ、Ｕ、Ｔ、Ｓが切断具等の区分の情報であり、図８の切断具１ｗ等、１ｕ等、１ｔ等、１ｓ等に関する切断情報や切断番号である事を示す。
【００５２】
一方の同時加工の情報は、同一方向にある複数の切断具等を同時に稼働する為の情報である。
切断具等を同一方向に移動し、更に切断具等を連動して移動する事を可能にする。
具体的には、図の星印（＊）が同時加工の情報であり、図例ではＷ、Ｕ、Ｔが同時に稼働する事を示す。
【００５３】
双方の同時加工の情報は、縦横双方の方向に設けた切断具等を縦横双方の方向の切断位置に一度に配置する為の情報である。
情報の収納具から縦方向に切断する為の切断情報と横方向に切断する為の切断情報を同時に取り出す為の情報である。
具体的には、図の斜線（／）が双方の同時加工の情報であり、図例ではＷ、Ｕ、ＴとＳが切断位置に一度に配置する事を示す。
【００５４】
即ち、具体的に図６を示せば、図８が示す横方向に向けた３組（複数）の切断具１ｗ等、切断具１ｕ等、切断具１ｔ等と縦方向に向けた１組の切断具１ｓ等に関する切断情報を設けている。
即ち、切断具１ｗ等に関する切断位置を示す各切断番号をＷ１、Ｗ２、Ｗ３、Ｗ４、Ｗ５、Ｗ６として設け、この切断を実施する為の各切断情報を、＊Ｗ１０５ｍｍ、＊Ｗ９１ｍｍ、＊Ｗ７４ｍｍ、＊Ｗ６４ｍｍ、＊Ｗ５２ｍｍ、＊Ｗ４５ｍｍとして設けている。
更に、切断具１ｕ等に関する切断位置を示す各切断番号をＵ１、Ｕ２、Ｕ３、Ｕ４、Ｕ５、Ｕ６として設け、この切断を実施する為の各切断情報を、＊Ｕ２１０ｍｍ、＊Ｕ１８２ｍｍ、＊Ｕ１４８ｍｍ、＊Ｕ１２８ｍｍ、＊Ｕ１０５ｍｍ、＊Ｕ９１ｍｍとして設けている。
更に、切断具１ｔ等に関する切断位置を示す各切断番号をＴ１、Ｔ２、Ｔ３、Ｔ４、Ｔ５、Ｔ６として設け、この切断を実施する為の各切断情報を、＊Ｔ３１５ｍｍ、＊Ｔ２７３ｍｍ、＊Ｔ２２２ｍｍ、＊Ｔ１９２ｍｍ、＊Ｔ１５８ｍｍ、＊Ｔ１３７ｍｍとして設けている。
更に、切断具１ｓ等に関する切断位置を示す各切断番号をＳ３、Ｓ４、Ｓ５、Ｓ６、Ｓ７、Ｓ８として設け、この切断を実施する為の各切断情報を、／Ｓ１４８ｍｍ、／Ｓ１２８ｍｍ、／Ｓ１０５ｍｍ、／Ｓ９１ｍｍ、／Ｓ７４ｍｍ、／Ｓ６４ｍｍを各切断情報として設けている。
【００５５】
図７は、図６の定型用紙サイズの各サイズの供給紙と各切断位置を縮小サイズの概略図で示し、起点Ｐ１、Ｐ２と各切断位置に該当する切断番号を示している。
【００５６】
図８の概略図は、電源を入れ、紙を供給し、図６の切断情報を収めた情報の収納具を備えた紙の切断装置により自動で八等分の切断を開始し、完了するまでの手順の概要を示す代表例である。
【００５７】
図８（８‐１）は発明装置に電源を入れる事を示す。
【００５８】
図８（８‐２）は紙の供給を示す。
図例は、Ａ４サイズの定型用紙を給紙している。
詳しくは、給紙トレイや給紙カセット等の切断場所又は供給場所にＡ４サイズの定型用紙４を縦方向（図例では上下方向）と横方向（図例では左右方向）を一定方向に揃えて、縦方向に片側端寄せで（図の下方側にある側面紙押さえ２ａにより図の上方側にある壁３ａ等に寄せ）、更に横方向に片側端寄せで（図の左方側にある側面紙押さえ２ｂにより図の右方側にある壁３ｂ等に寄せて）給紙している。
【００５９】
図８（８‐３）は、図６の切断情報を備えた切断位置の制御装置及び切断位置の制御装置を備えた紙の自動切断の制御装置により紙の切断が開始される事を示しており、図８（８‐３）、（８‐４Ａ）、（８‐４Ｂ）は、ユーザーが希望する切断サイズに関する切断情報を情報の選択具により、情報の収納具から選択する事を示す。
【００６０】
図８（８‐３）は、供給紙がＡ４サイズである事を伝達し、更に切断後の等分を八等分に（即ち切断後の用紙サイズをＡ７サイズに）切断したい事を伝達している。
詳しくは、例えばタッチパネルやボタン等の情報を伝達する為の情報の選択具により、供給紙サイズと切断後の等分（サイズ）を選択した事を示す。
即ち、本発明は、「何サイズを」と、「何等分に」又は「何サイズに」の双方の情報を伝達する事により切断が可能となる。
【００６１】
尚、供給した用紙サイズを自動的に認識する機能を備える用紙サイズの自動認識装置を設ける場合は、この用紙サイズの自動認識装置が情報の選択具を兼ねる事が可能であり、この場合は手動で「何サイズを」を伝達する必要はない。
尚、自動認識のボタンの図示は省略しているが、自動認識のボタンの選択は、例えば、スキャナー等のセンサーにより供給紙のサイズを感知し供給紙のサイズを自動で認識する事を示す。或いは、側面紙押さえの紙押さえ時の停止位置の情報やその他により供給紙のサイズを自動で認識する事を示す。
又、供給紙サイズの自動認識装置を備えるコピー機やプリンタ等の紙に情報を写す機器に設ける場合は、この装置を兼用可能にしてこの情報を共有する事が可能である。
【００６２】
図８（８‐４Ａ）は、情報の選択具により図６で示した記憶装置等である情報の収納具に収納されている切断情報の中からユーザーが希望する切断に関する情報が取り出された事を示す。
即ち、図例では、Ａ４サイズの定型サイズ用紙を八等分にしてＡ７サイズの定型用紙を作る為の情報が取り出された事を示す。
【００６３】
詳しくは、切断位置を示す切断番号Ｗ３の切断情報＝＊Ｗ７４ｍｍ（切断具等の区分の情報＝切断に使用する切断具等の種類＝切断具１ｗ等、長さの情報＝起点Ｐ１から切断番号Ｗ３までの長さ＝７４ｍｍ、一方の同時加工の情報＝Ｗ３、Ｕ３、Ｔ３を同時に稼働）、切断位置を示す切断番号Ｕ３の切断情報＝＊Ｕ１４８ｍｍ（切断具等の区分の情報＝切断に使用する切断具等の種類＝切断具１ｕ等、長さの情報＝起点Ｐ１から切断番号Ｕ３までの長さ＝１４８ｍｍ、一方の同時加工の情報＝Ｗ３、Ｕ３、Ｔ３を同時に稼働）、切断位置を示す切断番号Ｔ３の切断情報＝＊Ｔ２２２ｍｍ（切断具等の区分の情報＝切断に使用する切断具等の種類＝切断具１ｔ等、長さの情報＝起点Ｐ１から切断番号Ｔ３までの長さ＝２２２ｍｍ、一方の同時加工の情報＝Ｗ３、Ｕ３、Ｔ３を同時に稼働）、切断位置を示す切断番号Ｓ５の切断情報＝／Ｓ１０５ｍｍ（切断具等の区分の情報＝切断に使用する切断具等の種類＝切断具１ｓ等、長さの情報＝起点Ｐ２から切断番号Ｓ５の切断位置までの長さ＝１０５ｍｍ、双方の同時加工の情報＝Ｗ３、Ｕ３、Ｔ３とＳ５が切断位置に一度に配置）が取り出された事を示す。
【００６４】
図（８‐４Ｂ）は、切断装置の概略図（部分図）であり、図６の中より取り出した切断情報により、（切断具１ｗ等、切断具１ｕ等、切断具１ｔ等、切断具１ｓ等を切断番号Ｗ３、Ｕ３、Ｔ３、Ｓ５の切断位置に配置させることにより、）ユーザーが希望する切断サイズを、（従来技術より短縮した時間で、）切断する事が出来る事を示す。
【００６５】
図８（８‐５）は、情報の収納具から取り出した切断情報により切断具等を切断番号Ｗ３、Ｕ３、Ｔ３、Ｓ５の切断位置に移動させる為の動力を制御して切断具１ｗ等、切断具１ｕ等、切断具１ｔ等、切断具１ｓ等を切断位置に配置した事を示す。
【００６６】
図８（８‐６）、（８‐７）、（８‐８）、（８‐９）は、（８‐５）の作業により、切断位置の制御装置の稼働が完了し、自動切断の制御装置の稼働が継続される事を示す。
図例では、切断位置の制御装置の働きにより切断位置に配置された切断具１ｗ等、切断具１ｕ等、切断具１ｔ等、切断具１ｓ等が、予め設けられた切断の為のコンピューター等の制御によるプログラム等に従い、前記の作業に継続して切断具である丸刃が回転を開始し、（供給紙上方にある）切断具等が下降し、丸刃が供給紙を横断して、或いは供給紙が丸刃を横断して、紙を切断し、丸刃が回転を停止し、切断具等が上昇し、切断具等が駐具されていた元の位置（起点Ｐ１、Ｐ２）に戻る事を示し、Ａ４サイズを八等分にしてＡ７サイズを作る為の自動切断の制御装置の稼働が完了する事を示している。
【００６７】
具体的には、図８（８‐６）は、切断番号Ｗ３、Ｕ３、Ｔ３の切断位置に移動した切断具１ｗ等、切断具１ｕ等、切断具１ｔ等の丸刃が回転を開始し、切断具等が下降し供給紙の設置位置まで移動し、切断を開始した事を示す。
図８（８‐７）は、切断具１ｗ等、切断具１ｕ等、切断具１ｔ等が切断番号Ｓ５の切断位置を通過し、切断番号Ｓ５の切断位置の切断具１ｓ等の丸刃が回転を開始し、切断具等が下降し供給紙の設置位置まで移動し、切断を開始した事を示す。
図８（８‐８）は、切断具１ｗ等、切断具１ｕ等、切断具１ｔ等の切断が終了し、切断具１ｓ等の切断が間もなく終了する事を示している。
図８（８‐９）は、切断具１ｓ等の切断が終了し、各切断具等の丸刃の回転が停止し、各切断具等が上昇し、各切断具等は次の切断の邪魔にならない様に、次の紙の切断時の各切断具等の軌道から外れた場所にある駐具場所（起点Ｐ１、Ｐ２）に戻った事を示している。
【００６８】
図８（８‐１０）は、用紙の取り出しを示す。
図８（８‐１１）は、電源を切る事を示す。
【００６９】
尚、切断具１ｗ、切断具１ｕ、切断具１ｔ、切断具１ｓは、例えば、刃先に歯の有る丸刃、刃先に歯の無い丸刃、上下動する刃先に歯の有る直刃、上下動する刃先に歯の無い直刃、移動刃である上刃を固定刃である下刃と交差させる方法（ギロチン式）、支点を基にして移動刃である上刃を固定刃である下刃と交差させる方法、切り出し（先の鋭利な刃）で引く方法、その他の方法が可能である。
【００７０】
尚、切断具１ｔ等とは、紙を切断する為の切断具１ｔに加えて、切断時の紙ずれを防止する為に紙面を押さえる為の紙面押さえや、切断時に切断具が入る為の切断具が入る為の溝或いは隙間や、紙を供給する為の給紙ローラーや、紙を排出する為の排紙ローラーや、その他の内、必要に応じて切断具と一体となり切断具の移動に合わせて切断個所や切断個所付近に移動する必要がある具である。
又、切断具の切断時の設定位置を一定位置に固定して、ユーザーが選択し取り出した用紙サイズに応じて切断場所（紙や側面紙押さえ等）を移動させる場合は、切断場所（紙や側面紙押さえ）等を制御する。即ち、「切断場所」が「切断具等」に該当する。
切断具１ｗ等、切断具１ｕ等、切断具１ｓ等も、切断具１ｔ等に準じる。
【００７１】
この切断手順のその他の実施例として、縦方向に向けての切断後に横方向に向けての切断を行なう事が可能である。
（即ち、切断情報Ｓ１０５ｍｍ、／＊Ｗ７４ｍｍ、＊Ｕ１４８ｍｍ、＊Ｔ２２２ｍｍ、を設ける事が可能である。）
【００７２】
この代表例以外のサイズの切断を行なう場合は、前記の代表例の要領に準じた作業手順で行なう事が可能である。
【００７３】
この代表例以外の各サイズ、即ち、定型用紙サイズの各サイズの各等分サイズや定型用紙サイズの各サイズや写真サイズの決められた各サイズやハガキサイズの決められた各サイズや名刺サイズの決められた各サイズやカードサイズの決められた各サイズやこれら以外の決められた各サイズや決められた各サイズや切断情報の長さの情報や切断具等の区分の情報や一方の同時加工の情報や双方の同時加工の情報や情報の選択の情報等の情報の一部又は全てを組み合わせた各サイズやユーザーが設定した独自の各サイズに係わる切断情報を設ける場合は、前記の代表例の要領に準じた要領で設ける事が可能である。
【００７４】
請求項１８、１９、２０、２１、２２、２３、２４、２５の発明は、請求項１、２、３、４、５、６、７、８、９、１０、１１、１２、１３、１４、１５、１６、１７の発明装置を、事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器、ユニットシステムにして事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器、事務用家庭用シュレッダーに備える事により実施可能である。
【符号の説明】
【００７５】
１ｔ、１１ｔ、１２ｔ、１３ｔ、１４ｔ、１５ｔ    切断具
１ｓ、１１ｓ、１２ｓ、１３ｓ、１４ｓ、１５ｓ    切断具
１ｕ    切断具
１ｗ    切断具
２ａ、２ｂ    側面紙押さえ
３ａ、３ｂ    壁等
４、４１、４２、４３、４４、４５    紙
Ｐ１、Ｐ１１、Ｐ１２、Ｐ１３、Ｐ１４    起点
Ｐ２、Ｐ２１、Ｐ２２、Ｐ２３、Ｐ２４    起点
Ｓ５、Ｓ１１、Ｓ１２、Ｓ１３、Ｓ１４、Ｓ１５    切断番号
Ｔ３、Ｔ１１、Ｔ１２、Ｔ１３、Ｔ１４、Ｔ１５    切断番号
Ｕ３    切断番号
Ｗ３    切断番号
【図１】
2012183622.tif 000003
【図２】
2012183622.tif 000004
【図３】
2012183622.tif 000005
【図４】
2012183622.tif 000006
【図５】
2012183622.tif 000007
【図６】
2012183622.tif 000008
【図７】
2012183622.tif 000009
【図８】
2012183622.tif 000010